(57)【特許請求の範囲】
【請求項１】
画像データ上の色を規定する第１の色空間の座標と画像上の色を規定する第２の色空間の座標との対応関係が画像データと画像との間を媒介するデバイスに応じて定義された色再現特性を表示する色再現特性表示装置において、
それぞれが前記第１の色空間上の各座標に対応づけられた複数のパッチが配列されたパッチ配列画像を表示する画像表示部と、
前記画像表示部に表示されたパッチ配列画像を構成する複数のパッチの中から所望のパッチを操作に応じて指定するパッチ指定部とを備え、
前記画像表示部は、前記パッチ配列画像を表示するとともに、それぞれが画像データと画像との間を媒介する２種類のデバイスであって、前記パッチ配列画像が対応づけられた前記第１の色空間の座標と、画像上の色を規定する、該２つのデバイスそれぞれに対応する第２の色空間上の座標との対応関係がそれぞれ定義された２種類のデバイス間の画像上の色の近似度の評価用として、前記パッチ指定部により指定されたパッチに対応する前記第１の色空間の座標値と、この座標値に対応するとともに前記２種類のデバイスに対応する、２つの前記第２の色空間上の２つの座標どうしの距離の情報を表示するものであることを特徴とする色再現特性表示装置。
【請求項２】
前記画像表示部は、さらに、前記第２の色空間の前記２つの座標の各座標値を表示するものであることを特徴とする請求項１記載の色再現特性表示装置。
【請求項３】
画像データ上の色を規定する第１の色空間の座標と画像上の色を規定する第２の色空間の座標との対応関係が画像データと画像との間を媒介するデバイスに応じて定義された色再現特性を表示する色再現特性表示装置において、
前記第２の色空間上の距離範囲を操作に応じて指定する距離範囲指定部と、
それぞれが前記第１の色空間上の各座標に対応づけられた複数のパッチが配列されたパッチ配列画像を表示するとともに、それぞれが画像データと画像との間を媒介する２種類のデバイスであって、前記パッチ配列画像が対応づけられた前記第１の色空間の座標と、画像上の色を規定する、該２種類のデバイスそれぞれに対応する第２の色空間上の座標との対応関係がそれぞれ定義された２種類のデバイス間の画像上の色の近似度の評価用として、前記パッチ配列画像を構成する複数のパッチそれぞれについて、該パッチに対応する前記第１の色空間上の座標に対応するとともに前記２種類のデバイスに対応する、２つの前記第２の色空間上の２つの座標どうしの距離が、前記距離範囲指定部で指定された距離範囲内にあるか否かを表示する画像表示部を備えたことを特徴とする色再現特性表示装置。
【請求項４】
画像データ上の色を規定する第１の色空間の座標と画像上の色を規定する第２の色空間の座標との対応関係が画像データと画像との間を媒介するデバイスに応じて定義された色再現特性を表示する色再現特性表示装置において、
それぞれが前記第１の色空間上の各座標に対応づけられた複数のパッチが配列されたパッチ配列画像を表示するとともに、それぞれが画像データと画像との間を媒介する２種類のデバイスであって、前記パッチ配列画像が対応づけられた前記第１の色空間の座標と、画像上の色を規定する、該２つのデバイスそれぞれに対応する第２の色空間上の座標との対応関係がそれぞれ定義された２種類のデバイス間の画像上の色の近似度の評価用として、前記パッチ配列画像を構成する複数のパッチについて、該パッチに対応する前記第１の色空間の座標値と、この座標値に対応するとともに前記２種類のデバイスに対応する、２つの前記第２の色空間上の２つの座標どうしの距離の情報とを、該距離の順に数値で表示する画像表示部を備えたことを特徴とする色再現特性表示装置。
【請求項５】
前記画像表示部は、さらに、前記パッチ配列画像を構成する複数のパッチそれぞれについて、前記第２の色空間の前記２つの座標の各座標値を数値で表示するものであることを特徴とする請求項４記載の色再現特性表示装置。
【請求項６】
前記画像表示部は、前記パッチ配列画像として、前記２種類のデバイスにより入力あるいは出力される、色再現特性評価用のカラーチャート画像を模擬した画像を表示するものであることを特徴とする請求項１、３、又は４記載の色再現特性表示装置。
【請求項７】
コンピュータを、画像データ上の色を規定する第１の色空間の座標と画像上の色を規定する第２の色空間の座標との対応関係が画像データと画像との間を媒介するデバイスに応じて定義された色再現特性を表示する色再現特性表示装置として動作させる色再現特性表示プログラムを記憶した色再現特性表示プログラム記憶媒体において、
前記色再現特性表示プログラムが、前記コンピュータを、
それぞれが前記第１の色空間上の各座標に対応づけられた複数のパッチが配列されたパッチ配列画像を表示する画像表示部と、
前記画像表示部に表示されたパッチ配列画像を構成する複数のパッチの中から所望のパッチを操作に応じて指定するパッチ指定部とを有し、
前記画像表示部は、前記パッチ配列画像を表示するとともに、それぞれが画像データと画像との間を媒介する２種類のデバイスであって、前記パッチ配列画像が対応づけられた前記第１の色空間の座標と、画像上の色を規定する、該２つのデバイスそれぞれに対応する第２の色空間上の座標との対応関係がそれぞれ定義された２種類のデバイス間の画像上の色の近似度の評価用として、前記パッチ指定部により指定されたパッチに対応する前記第１の色空間の座標値と、この座標値に対応するとともに前記２種類のデバイスに対応する、２つの前記第２の色空間上の２つの座標どうしの距離の情報を表示する色再現特性表示装置として動作させるものであることを特徴とする色再現特性表示プログラム記憶媒体。
【請求項８】
コンピュータを、画像データ上の色を規定する第１の色空間の座標と画像上の色を規定する第２の色空間の座標との対応関係が画像データと画像との間を媒介するデバイスに応じて定義された色再現特性を表示する色再現特性表示装置として動作させる色再現特性表示プログラムを記憶した色再現特性表示プログラム記憶媒体において、
前記色再現特性表示プログラムが、前記コンピュータを、
前記第２の色空間上の距離範囲を操作に応じて指定する距離範囲指定部と、
それぞれが前記第１の色空間上の各座標に対応づけられた複数のパッチが配列されたパッチ配列画像を表示するとともに、それぞれが画像データと画像との間を媒介する２種類のデバイスであって、前記パッチ配列画像が対応づけられた前記第１の色空間の座標と、画像上の色を規定する、該２つのデバイスそれぞれに対応する第２の色空間上の座標との対応関係がそれぞれ定義された２種類のデバイス間の画像上の色の近似度の評価用として、前記パッチ配列画像を構成する複数のパッチそれぞれについて、該パッチに対応する前記第１の色空間上の座標に対応するとともに前記２種類のデバイスに対応する、２つの前記第２の色空間上の２つの座標どうしの距離が、前記距離範囲指定部で指定された距離範囲内にあるか否かを表示する画像表示部を有する色再現特性表示装置として動作させるものであることを特徴とする色再現特性表示プログラム記憶媒体。
【請求項９】
コンピュータを、画像データ上の色を規定する第１の色空間の座標と画像上の色を規定する第２の色空間の座標との対応関係が画像データと画像との間を媒介するデバイスに応じて定義された色再現特性を表示する色再現特性表示装置として動作させる色再現特性表示プログラムを記憶した色再現特性表示プログラム記憶媒体において、
前記色再現特性表示プログラムが、前記コンピュータを、
それぞれが前記第１の色空間上の各座標に対応づけられた複数のパッチが配列されたパッチ配列画像を表示するとともに、それぞれが画像データと画像との間を媒介する２種類のデバイスであって、前記パッチ配列画像が対応づけられた前記第１の色空間の座標と、画像上の色を規定する、該２つのデバイスそれぞれに対応する第２の色空間上の座標との対応関係がそれぞれ定義された２種類のデバイス間の画像上の色の近似度の評価用として、前記パッチ配列画像を構成する複数のパッチについて、該パッチに対応する前記第１の色空間の座標値と、この座標値に対応するとともに前記２種類のデバイスに対応する、２つの前記第２の色空間上の２つの座標どうしの距離の情報とを、該距離の順に数値で表示する画像表示部を有する色再現特性表示装置として動作させるものであることを特徴とする色再現特性表示プログラム記憶媒体。
【発明の詳細な説明】
【０００１】
【発明の属する技術分野】
本発明は、画像を画像データに変換する、カラースキャナやディジタルスチールカメラ等の入力デバイスや、画像データに基づいて画像を出力する印刷機やプリンタ等の出力デバイス（画像を表示画面上に出力（表示）する、ディスプレイ装置等の表示デバイスを含む）など、画像データと画像との間を媒介するデバイスに応じて定義された色再現特性を表示する色再現特性表示装置、およびコンピュータをそのような色再現特性表示装置として動作させる色再現特性表示プログラムを記憶した色再現特性表示プログラム記憶媒体に関する。
【０００２】
【従来の技術】
従来より、例えばカラースキャナあるいは電子スチールカメラ等の入力デバイスで、画像（ここでは原稿画像と称する）を取り込んで画像データを得、その画像データに基づいて今度は印刷機あるいはプリンタで、あるいはディスプレイ画面上に、その原稿画像が再生された再生画像を得ることが行なわれている。この場合、入力デバイスに応じた、原稿画像上の色と画像データ上の色とを対応づける色再現特性（プロファイル）と、印刷機やプリンタ等の出力デバイスに応じた、画像データ上の色と再生画像上の色とを対応づける色再現特性（プロファイル）とを求め、入力デバイスで原稿画像から得られた画像データを、それら双方の色再現特性に基づいて出力デバイスに適合した画像データに変換し、その出力デバイス用の画像データに基づいて再生画像を出力する。こうすることにより、もともとの原稿画像と色の一致した再生画像を得ることができる。
【０００３】
また、これと同様のことは、出力デバイスどうしの間でも生じる。次に、その例について説明する。
【０００４】
従来より、印刷機を用いてカラー画像印刷を行なうにあたっては、印刷を行なう前に、カラープリンタ等を用いて、その印刷機で印刷される画像の色と極力同じ色に似せたプルーフ画像を作成することが行なわれている。プリンタでプルーフ画像を作成するにあたっては、印刷を行なおうとしている印刷機に対応した、画像データと実際の印刷物の色との関係を記述した色再現特性（印刷プロファイル）と、プリンタに対応した、画像データと実際にプリント出力される画像の色との関係を記述した色再現特性（プリンタプロファイル）とを知り、これらの印刷プロファイルとプリンタプロファイルとに基づいて印刷用の画像データをプリンタ用の画像データに変換し、この変換されたプリンタ用の画像データに基づいてプルーフ画像を作成する。こうすることにより、実際の印刷物と色の一致したプルーフ画像を作成することができる。
【０００５】
上記のようにして色を一致させた画像を得るためには、入力デバイスや出力デバイスの色再現特性（プロファイル）を正確に求める必要がある。この色再現特性（プロファイル）を求めるにあたっては、例えば入力デバイスの場合は、カラーパッチが配列されたカラーチャートをその入力デバイスで読み取って画像データに変換し、画像データ上の色空間（デバイス色空間；例えばシアン（Ｃ）、マゼンタ（Ｍ）、イエロー（Ｙ）、および黒（Ｋ）の４色からなるＣＭＹＫ色空間、あるいはレッド（Ｒ）、グリーン（Ｇ）、およびブルー（Ｂ）の３色からなるＲＧＢ色空間等）の座標（ＣＭＹＫ値あるいはＲＧＢ値等）を求めるとともに、その同じカラーチャートを分光測色計で測色して測色色空間（例えばＬ*ａ*ｂ*色空間あるいはＸＹＺ色空間等）の座標（Ｌ*ａ*ｂ*値あるいはＸＹＺ値等）を求め、それらデバイス色空間上の座標と測色色空間上の座標とを対応づけることにより、その入力デバイスの色再現特性（プロファイル）が求められる。
【０００６】
また、出力デバイスの色再現特性（プロファイル）を求めるにあたっては、カラーパッチが配列されたカラーチャートに相当する画像データを作成し、その画像データに基づいて出力デバイスでカラーチャートを出力し、そのカラーチャートを分光測色計で測色し、そのようにして得た画像データ上の色空間（デバイス色空間）の座標と測色色空間の座標とを対応づけることにより、その出力デバイスの色再現特性が求められる。
【０００７】
【発明が解決しようとする課題】
ところが、そのようにして入力デバイスや出力デバイスの色再現特性を慎重に求め、それらの色再現特性に基づいて画像データを変換しても、様々な誤差や変動要因により、原稿画像と再生画像との間、あるいは印刷物とプルーフ画像との間の色が微妙に食い違うという現像が生じる。
【０００８】
このような状況下にある中で、例えばカラープリンタで出力された画像の色がカラースキャナで画像データを取り込んだときの原稿画像の色を正しく再現しているか否か、あるいはカラープリンタで出力された画像の色が印刷物上の画像の色と一致しているか否か等を評価しようとしたとき、従来は、実際にプリント出力を行なって、そのプリント出力による再生画像と原稿画像、あるいはプリント出力によるプルーフ画像と印刷機を用いて印刷を行なって得た画像を観察者が比較することにより評価することにのみ重点が置かれ、どの色がどの程度一致しあるいはどの程度相違しているのかを客観的に検討し、評価するためのツールとして適当なものは見当たらないのが現状である。
【０００９】
本発明は、上記事情に鑑み、２種類のデバイスが介在することによって得られる２つの画像（例えば原稿画像と再生画像、あるいは印刷物とプルーフ画像など）がどの程度一致あるいは相違しているかを客観的に検討、評価するのに適した色再現特性表示装置および色再現特性表示プログラム記憶媒体を提供することを目的とする。
【００１０】
【課題を解決するための手段】
上記目的を達成する本発明の色再現特性表示装置うちの第１の色再現特性表示装置は、画像データ上の色を規定する第１の色空間の座標と画像上の色を規定する第２の色空間の座標との対応関係が画像データと画像との間を媒介するデバイスに応じて定義された色再現特性を表示する色再現特性表示装置において、
それぞれが第１の色空間上の各座標に対応づけられた複数のパッチが配列されたパッチ配列画像を表示する画像表示部と、
画像表示部に表示されたパッチ配列画像を構成する複数のパッチの中から所望のパッチを操作に応じて指定するパッチ指定部とを備え、
上記画像表示部は、パッチ配列画像を表示するとともに、それぞれが画像データと画像との間を媒介する２種類のデバイスであって、パッチ配列画像が対応づけられた第１の色空間の座標と、画像上の色を規定する、それら２つのデバイスそれぞれに対応する第２の色空間上の座標との対応関係がそれぞれ定義された２種類のデバイス間の画像上の色の近似度の評価用として、パッチ指定部により指定されたパッチに対応する第１の色空間の座標値と、この座標値に対応するとともに上記２種類のデバイスに対応する、２つの上記第２の色空間上の２つの座標どうしの距離の情報を表示するものであることを特徴とする。
【００１１】
本発明の第１の色再現特性表示装置は、複数のパッチからなるパッチ配列画像を表示し、そのパッチ配列画像を構成する複数のパッチうちの所望のパッチを指定すると、その指定されたパッチに対応する、例えばＣＭＹＫあるいはＲＧＢ等の色空間の座標値（ＣＭＹＫあるいはＲＧＢ等の各値）と、その座標値に対応するとともに２種類のデバイスに対応する、第２の色空間上の２つの座標どうしの距離（例えば、典型的な一例としては、そのＣＭＹＫあるいはＲＧＢ等の各値を持つ画像データを用いて２種類のデバイス（例えば印刷機とカラープリンタ）でカラーパッチを出力したときの、それら２つのカラーパッチどうしの色差）とを表示するものであり、画面上のパッチの指定だけで、そのパッチに関しどの程度色が一致あるいは相違しているかを知ることができ、データ上で客観的に検討、評価を行なうことができる。
【００１２】
ここで、上記本発明の色再現特性表示装置において、上記画像表示部は、さらに、第２の色空間の上記２つの座標の各座標値を表示するものであることが好ましい。
【００１３】
これは、典型的な一例で説明すると、印刷機とカラープリンタで出力された２つのカラーパッチどうしの色差のみではく、それら２つのカラーパッチそれぞれの各Ｌ*ａ*ｂ*値あるいはＸＹＺ値等を表示するものであり、データ上での検討、評価にさらに有効な情報を与えることになる。
【００１４】
また、本発明の色再現特性表示装置うちの第２の色再現特性表示装置は、画像データ上の色を規定する第１の色空間の座標と画像上の色を規定する第２の色空間の座標との対応関係が画像データと画像との間を媒介するデバイスに応じて定義された色再現特性を表示する色再現特性表示装置において、
第２の色空間上の距離範囲を操作に応じて指定する距離範囲指定部と、
それぞれが第１の色空間上の各座標に対応づけられた複数のパッチが配列されたパッチ配列画像を表示するとともに、それぞれが画像データと画像との間を媒介する２種類のデバイスであって、パッチ配列画像が対応づけられた前記第１の色空間の座標と、画像上の色を規定する、それら２種類のデバイスそれぞれに対応する第２の色空間上の座標との対応関係がそれぞれ定義された２種類のデバイス間の画像上の色の近似度の評価用として、パッチ配列画像を構成する複数のパッチそれぞれについて、そのパッチに対応する第１の色空間上の座標に対応するとともに上記２種類のデバイスに対応する、２つの第２の色空間上の２つの座標どうしの距離が距離範囲指定部で指定された距離範囲内にあるか否かを表示する画像表示部を備えたことを特徴とする。
【００１５】
本発明の上記第２の色再現特性表示装置は、複数のパッチが配列されたパッチ配列画像を表示するとともに、２つの座標どうしの距離（典型的には、色差）の範囲を指定し、距離（色差）がその指定された範囲内にあるか否かをパッチ配列画像を構成する複数のパッチそれぞれについて表示するものであり、どのパッチ（色）が一致あるいはどの程度相違しているのか全体を把握することができ、データ上での客観的な検討、評価に役立つ。
【００１６】
また、本発明の色再現特性表示装置うちの第３の色再現特性表示装置は、画像データ上の色を規定する第１の色空間の座標と画像上の色を規定する第２の色空間の座標との対応関係が画像データと画像との間を媒介するデバイスに応じて定義された色再現特性を表示する色再現特性表示装置において、
それぞれが第１の色空間上の各座標に対応づけられた複数のパッチが配列されたパッチ配列画像を表示するとともに、それぞれが画像データと画像との間を媒介する２種類のデバイスであって、パッチ配列画像が対応づけられた第１の色空間の座標と、画像上の色を規定する、それら２つのデバイスそれぞれに対応する第２の色空間上の座標との対応関係がそれぞれ定義された２種類のデバイス間の画像上の色の近似度の評価用として、パッチ配列画像を構成する複数のパッチについて、そのパッチに対応する第１の色空間の座標値と、この座標値に対応するとともに上記２種類のデバイスに対応する、２つの第２の色空間上の２つの座標どうしの距離の情報とを、その距離の順に数値で表示する画像表示部を備えたことを特徴とする。
【００１７】
本発明の第３の色再現特性表示装置は、複数のパッチが配列されたパッチ配列画像とともに、そのパッチ配列画像を構成する複数のパッチについて、第１の色空間の座標値（典型的にはＣＭＹＫ値あるいはＲＧＢ値）と上記の距離の情報（典型的には色差）を、その距離（色差）の順に並べて数値で表示するものであり、パッチ配列画像上の各パッチと見比べながらデータ上での詳細な検討、評価が可能となる。
【００１８】
ここで、上記第３の色再現特性表示装置において、上記画像表示部は、さらに、パッチ配列画像を構成する複数のパッチそれぞれについて、上記第２の色空間の２つの座標の各座標値を数値で表示するものであることが好ましい。
【００１９】
上記のように、パッチ配列画像を構成する複数のパッチについて、２つの座標どうしの距離の情報（例えば色差）のみでなく、それら２つの座標それぞれの各座標値（例えばＬ*ａ*ｂ*値あるいはＸＹＺ値等）を数値で表示すると、客観的なデータが更に増え、データ上で更なる詳細な検討、評価を行なうことができる。
【００２０】
ここで、上記本発明の第１〜第３の色再現特性表示装置のいずれにおいても、画像表示部は、パッチ配列画像として、上記２種類のデバイスにより入力あるいは出力される、色再現特性評価用のカラーチャート画像を模擬した画像を表示するものであることが好ましい。
【００２１】
上記の画像表示部により表示されたパッチ配列画像は、必ずしも上記のカラーチャートのフォーマットを模擬したものである必要はないが、上記のカラーチャートを模擬したものである場合は、入力デバイスにより入力され、あるいは出力デバイスにより出力されるカラーチャートとイメージの一致したパッチ配列画像が表示されることになり、取り扱いやすい、観察しやすい装置として構成される。
【００２２】
また、上記目的を達成する本発明の色再現特性表示プログラム記憶媒体うちの第１の色再現特性表示プログラム記憶媒体は、コンピュータを、画像データ上の色を規定する第１の色空間の座標と画像上の色を規定する第２の色空間の座標との対応関係が画像データと画像との間を媒介するデバイスに応じて定義された色再現特性を表示する色再現特性表示装置として動作させる色再現特性表示プログラムを記憶した色再現特性表示プログラム記憶媒体において、
そこに記憶された色再現特性表示プログラムが、前記コンピュータを、
それぞれが第１の色空間上の各座標に対応づけられた複数のパッチが配列されたパッチ配列画像を表示する画像表示部と、
画像表示部に表示されたパッチ配列画像を構成する複数のパッチの中から所望のパッチを操作に応じて指定するパッチ指定部とを有し、
上記画像表示部は、パッチ配列画像を表示するとともに、それぞれが画像データと画像との間を媒介する２種類のデバイスであって、パッチ配列画像が対応づけられた第１の色空間の座標と、画像上の色を規定する、それら２つのデバイスそれぞれに対応する第２の色空間上の座標との対応関係がそれぞれ定義された２種類のデバイス間の画像上の色の近似度の評価用として、パッチ指定部により指定されたパッチに対応する第１の色空間の座標値と、この座標値に対応するとともに上記２種類のデバイスに対応する、２つの第２の色空間上の２つの座標どうしの距離の情報を表示する色再現特性表示装置として動作させるものであることを特徴とする。
【００２３】
上記本発明の第１の色再現特性表示プログラム記憶媒体に記憶された色再現特性表示プログラムは、それをコンピュータにインストールして実行させたときにそのコンピュータを本発明の第１の色再現特性表示装置として動作させるものであり、この色再現特性表示プログラムには、本発明の第１の色再現特性表示装置の各種態様全てに相当する態様が含まれる。
【００２４】
また、本発明の色再現特性表示プログラム記憶媒体のうちの第２の色再現特性表示プログラム記憶媒体は、コンピュータを、画像データ上の色を規定する第１の色空間の座標と画像上の色を規定する第２の色空間の座標との対応関係が画像データと画像との間を媒介するデバイスに応じて定義された色再現特性を表示する色再現特性表示装置として動作させる色再現特性表示プログラムを記憶した色再現特性表示プログラム記憶媒体において、
そこに記憶された色再現特性表示プログラムが、前記コンピュータを、
第２の色空間上の距離範囲を操作に応じて指定する距離範囲指定部と、
それぞれが第１の色空間上の各座標に対応づけられた複数のパッチが配列されたそのパッチ配列画像を表示するとともに、それぞれが画像データと画像との間を媒介する２種類のデバイスであって、パッチ配列画像が対応づけられた前記第１の色空間の座標と、画像上の色を規定する、それら２種類のデバイスそれぞれに対応する第２の色空間上の座標との対応関係がそれぞれ定義された２種類のデバイス間の画像上の色の近似度の評価用として、パッチ配列画像を構成する複数のパッチそれぞれについて、そのパッチに対応する第１の色空間上の座標に対応するとともに上記２種類のデバイスに対応する、２つの第２の色空間上の２つの座標どうしの距離が、距離範囲指定部で指定された距離範囲内にあるか否かを表示する画像表示部を有する色再現特性表示装置として動作させるものであることを特徴とする。
【００２５】
本発明の第２の色再現特性表示プログラム記憶媒体に記憶された色再現特性表示プログラムは、それをコンピュータにインストールして実行させたときにそのコンピュータを本発明の第２の色再現特性表示装置として動作させるものであり、この色再現特性表示プログラムには、本発明の第２の色再現特性表示装置の各種態様全てに相当する態様が含まれる。
【００２６】
さらに、本発明の色再現特性表示プログラム記憶媒体のうちの第３の色再現特性表示プログラム記憶媒体は、コンピュータを、画像データ上の色を規定する第１の色空間の座標と画像上の色を規定する第２の色空間の座標との対応関係が画像データと画像との間を媒介するデバイスに応じて定義された色再現特性を表示する色再現特性表示装置として動作させる色再現特性表示プログラムを記憶した色再現特性表示プログラム記憶媒体において、
そこに記憶された色再現特性表示プログラムは、前記コンピュータを、
それぞれが第１の色空間上の各座標に対応づけられた複数のパッチが配列されたパッチ配列画像を表示するとともに、それぞれが画像データと画像との間を媒介する２種類のデバイスであって、パッチ配列画像が対応づけられた第１の色空間の座標と、画像上の色を規定する、それら２つのデバイスそれぞれに対応する第２の色空間上の座標との対応関係がそれぞれ定義された２種類のデバイス間の画像上の色の近似度の評価用として、パッチ配列画像を構成する複数のパッチについて、そのパッチに対応する第１の色空間の座標値と、この座標値に対応するとともに上記２種類のデバイスに対応する、２つの第２の色空間上の２つの座標どうしの距離の情報を、その距離の順に数値で表示する画像表示部を有する色再現特性表示装置として動作させるものであることを特徴とする。
【００２７】
本発明の第３の色再現特性表示プログラム記憶媒体に記憶された色再現特性表示プログラムは、それをコンピュータにインストールして実行させたときにそのコンピュータを本発明の第３の色再現特性表示装置として動作させるものであり、この色再現特性表示プログラムには、本発明の第３の色再現特性表示装置の各種態様全てに相当する態様が含まれる。
【００２８】
【発明の実施の形態】
以下、本発明の実施形態について説明する。
【００２９】
ここでは、一例として、カラープリンタでプリント出力されるプルーフ画像上の色が印刷機で得られる印刷物上の色にどの程度一致あるいは相違しているかを評価するための表示を中心に説明する。
【００３０】
図１は、本発明の一実施形態が適用された印刷およびプルーフ画像作成システムの全体構成図である。
【００３１】
カラースキャナ１０では、原稿画像が読み取られて、その読み取った原稿画像をあらわすＣＭＹＫ４色の色分解画像データが生成される。このＣＭＹＫの画像データはワークステーション２０に入力される。ワークステーション２０では、オペレータにより、入力された画像データに基づく、電子的な集版が行なわれ、印刷用の画像をあらわす画像データが生成される。この印刷用の画像データは、印刷を行なう場合は、フィルムプリンタ３０に入力され、フィルムプリンタ３０では、その入力された画像データに対応した、ＣＭＹＫ各版の印刷用フィルム原版が作成される。
【００３２】
この印刷用フィルム原版からは刷版が作成され、その作成された刷版が印刷機４０に装着される。この印刷機４０に装着された刷版にはインクが塗布され、その塗布されたインクが印刷用の用紙上に転移されてその用紙上に画像４１が形成される。
【００３３】
このフィルムプリンタ３０によりフィルム原版を作成し、さらに刷版を作成して印刷機４０に装着し、その刷版にインクを塗布して用紙上に印刷を行なう一連の作業は、大がかりな作業であり、コストもかかる。このため、実際の印刷作業を行なう前に、プリンタ６０により、以下のようにしてプルーフ画像６１を作成し、印刷画像４１の仕上りの事前確認が行なわれる。
【００３４】
プルーフ画像を作成するにあたっては、ワークステーション２０上の電子集版により作成された画像データがパーソナルコンピュータ５０に入力される。ここで、このパーソナルコンピュータ５０に入力される画像データは、いわゆるＰＤＬ（Ｐａｇｅ  Ｄｅｓｃｒｉｐｔｉｏｎ  Ｌａｎｇｕａｇｅ）で記述された記述言語データであり、パーソナルコンピュータ５０では、いわゆるＲＩＰ（Ｒａｓｔｅｒ  Ｉｍａｇｅ  Ｐｒｏｃｅｓｓｏｒ）により、ビットマップに展開されたＣＭＹＫ４色の画像データに変換される。このＣＭＹＫ４色の画像データは、実質的には、フィルムプリンタ３０に入力される印刷用の画像データと同一である。
【００３５】
このＣＭＹＫ４色の印刷用の画像データは、このパーソナルコンピュータ５０の内部で、ＬＵＴ（Ｌｏｏｋ  Ｕｐ  Ｔａｂｌｅ）の形式を持つ色変換定義が参照され、プリンタ６０に適合したＣＭＹＫ４色の画像データに変換される。プリンタ６０には、そのプリンタ用のＣＭＹＫ４色の画像データが入力され、プリンタ６０では、その入力されたプリンタ用のＣＭＹＫ４色の画像データに基づくプルーフ画像６１が作成される。
【００３６】
ここで、印刷機４０による印刷で得られた画像４１とプリンタ６０で得られたプルーフ画像の色の一致の程度は、パーソナルコンピュータ５０内の色変換定義により定まる。この色変換定義は、プリンタごと各プリント条件ごとに作成される。
【００３７】
また、この図１には印刷機は１台のみ示されているが印刷機も複数台存在していてもよく、あるいは１台の印刷機であっても異なる複数の印刷条件が存在してもよく、色変換定義は、印刷機の相異を含めた複数の印刷条件それぞれに応じて作成される。すなわち、色変換定義は、印刷条件のそれぞれとプリンタそれぞれ（１台のプリンタで複数のプリント条件が存在するときは各プリント条件それぞれ）との組合せに応じて作成されることになる。この図１に示す分光測色計７０およびパーソナルコンピュータ８０はその色変換定義の作成に関連するものでる。
【００３８】
このようにしてプルーフ画像を作成してそのプルーフ画像を確認することにより、印刷の仕上りを事前に確認することができる。
【００３９】
ここで、この図１に示すプルーフ画像作成システムにおける、本発明の一実施形態としての特徴は、パーソナルコンピュータ８０の内部で実行される処理内容にあり、以下、このパーソナルコンピュータ８０について説明する。
【００４０】
図２は、図１にブロックで示す分光測色計７０およびパーソナルコンピュータ８０の外観斜視図、図３は、そのパーソナルコンピュータ８０のハードウェア構成図である。
【００４１】
この図２に示す分光測色計７０には複数のカラーパッチが配列されたカラーチャート９０が乗せられ、そのカラーチャート９０を構成する複数のカラーパッチそれぞれについて測色値（ここではＬ*ａ*ｂ*とする）が測定される。この分光測色計７０での測定により得られた各カラーパッチの測色値を表わす測色データは、ケーブル９１を経由してパーソナルコンピュータ８０に入力される。
【００４２】
このカラーチャート９０は、図１に１つのブロックで示す印刷機４０での印刷により、あるいはプリンタ６０でのプリント出力により作成されたものであり、パーソナルコンピュータ８０は、このカラーチャート９０を構成する各カラーパッチに対応する色データ（デバイス色空間上の座標；ＣＭＹＫあるいはＲＧＢの各値）を知っており、このパーソナルコンピュータ８０では、そのカラーチャート９０の各カラーパッチの色データと分光測色計７０で得られた測色データとに基づいて、印刷プロファイルやプリンタプロファイルが作成される。この点に関する詳細説明は後に譲り、ここでは、次に、パーソナルコンピュータ８０のハードウェア構成について説明する。
【００４３】
このパーソナルコンピュータ８０は、外観構成上、本体装置８１、その本体装置８１からの指示に応じて表示画面８２ａ上に画像を表示する画像表示装置８２、本体装置８１に、キー操作に応じた各種の情報を入力するキーボード８３、および、表示画面８２ａ上の任意の位置を指定することにより、その位置に表示された、例えばアイコン等に応じた指示を入力するマウス８４を備えている。この本体装置８１は、外観上、フロッピィディスクを装填するためのフロッピィディスク装填口８１ａ、およびＣＤ−ＲＯＭを装填するためのＣＤ−ＲＯＭ装填口８１ｂを有する。
【００４４】
本体装置８１の内部には、図３に示すように、各種プログラムを実行するＣＰＵ８１１、ハードディスク装置８１３に格納されたプログラムが読み出されＣＰＵ８１１での実行のために展開される主メモリ８１２、各種プログラムやデータ等が保存されたハードディスク装置８１３、フロッピィディスク１００が装填されその装填されたフロッピィディスク１００をアクセスするＦＤドライバ８１４、ＣＤ−ＲＯＭ１１０が装填され、その装填されたＣＤ−ＲＯＭ１１０をアクセスするＣＤ−ＲＯＭドライバ８１５、分光測色計７０（図１，図２参照）と接続され、分光測色計７０から測色データを受け取るＩ／Ｏインタフェース８１６、プリンタ６０に画像データを送るプリンタインタフェース８１７が内蔵されており、これらの各種要素と、さらに図２にも示す画像表示装置８２、キーボード８３、マウス８４は、バス８５を介して相互に接続されている。
【００４５】
ここで、ＣＤ−ＲＯＭ１１０には、このパーソナルコンピュータ８０を色再現特性表示装置として動作させるための色再現特性表示プログラムが記憶されており、そのＣＤ−ＲＯＭ１１０はＣＤ−ＲＯＭドライバ８１８に装填され、そのＣＤ−ＲＯＭ１１０に記憶された色再現特性表示プログラムがこのパーソナルコンピュータ８０にアップロードされてハードディスク装置８１３に記憶される。
【００４６】
なお、このパーソナルコンピュータ８０による、以下において説明するプロファイルや色変換定義の作成の機能は、本発明の主題ではなく、その機能を実現するために必要なプログラム等は既にパーソナルコンピュータ８０にインストールされているものとする。
【００４７】
ここで、ＣＤ−ＲＯＭ１１０に本発明の色再現特性表示プログラムの一実施形態が記憶されているときは、このＣＤ−ＲＯＭ１１０は本発明の色再現特性表示プログラム記憶媒体の一実施形態に相当し、その色再現特性表示プログラムがアップロードされてハードディスク装置８１３に格納されたときは、その色再現特性表示プログラムが格納された状態にあるハードディスク装置８１３も本発明の色再現特性表示プログラム記憶媒体の一実施形態に相当する。さらにその色再現特性表示プログラムがフロッピィディスク１００にダウンロードされたときは、その色再現特性表示プログラムを記憶した状態にあるフロッピィディスク１００も、本発明の色再現特性表示プログラム記憶媒体の一実施形態に相当する。
【００４８】
次に、このパーソナルコンピュータ８０内に構築された、色変換定義の作成方法について説明する。
【００４９】
ここでは、先ず印刷プロファイルが作成される。
【００５０】
図１に示すワークステーションからＣＭＹＫ４色の網％データを例えば０％，１０％，……，１００％と順次変化させ、前述の印刷手順に従って、そのようにして発生させた網％データに基づくカラーチャートを作成する。図１に示す画像４１は、カラーチャートを表わしている画像ではないが、この画像４１に代えて図２に示すカラーチャート９０と同様なカラーチャートを印刷したものとし、そのカラーチャートを構成する各カラーパッチを分光測色計７０で測定する。こうすることにより、ＣＭＹＫ４色の色空間上の座標値と測色色空間上の座標値との対応関係をあらわす印刷プロファイルが構築される。
【００５１】
図４は、印刷プロファイルの概念図である。
【００５２】
この印刷プロファイルには、ＣＭＹＫ（本発明にいう第１の色空間の一例）で定義された画像データが入力され、そのＣＭＹＫの画像データがＬ*ａ*ｂ*（本発明にいう第２の色空間の一例）で定義された画像データに変換される。
【００５３】
次に、プリンタプロファイルを作成する。
【００５４】
このプリンタプロファイルの作成方法は、カラーチャートを出力する出力デバイスが印刷機ではなくプリンタであるという点を除き、印刷プロファイルの作成方法と同様である。すなわち、ここでは、図１に示すパーソナルコンピュータ５０で、ＣＭＹＫ４色の網％データを各色について０％，１０％，…，１００％と順次変化させ、そのように順次発生させた網％データをプリンタ６０に送り、プリンタ６０でその網％データに基づくカラーチャートをプリント出力する。図１に示す画像６１は、カラーチャートをあらわしている画像ではないが、プリンタ６０では、この画像６１に代えて、印刷プロファイルの作成のために印刷機４０での印刷により作成したカラーチャートと同一タイプのカラーチャートを出力したものとし、そのカラーチャートを構成する各カラーパッチを分光測色計７０で測色する。こうすることにより、プリンタ６０についての、ＣＭＹＫ４色の色空間上の座標値と測色色空間（Ｌ*ａ*ｂ*空間）上の座標値との対応関係をあらわすプリンタプロファイルが構築される。
【００５５】
図５は、プリンタプロファイルの概念図である。
【００５６】
このプリンタプロファイルには、ＣＭＹＫの網％データが入力され、そのＣＭＹＫの網％データがＬ*ａ*ｂ*の測色データに変換される。ここでは、この、ＣＭＹＫの網％データをＬ*ａ*ｂ*の測色データに変換するプリンタプロファイル（順変換プリンタプロファイル）をＰであらわし、その逆変換、すなわちＬ*ａ*ｂ*の測色データをＣＭＹＫの網％データに変換するプリンタプロファイル（逆変換プリンタプロファイル）をＰ-1であらわす。
【００５７】
尚、ここではプリンタ６０はＣＭＹＫの網％データに基づいて画像を出力するプリンタであるとして説明したが、例えばＲＧＢのデータに基づく画像を出力するプリンタに関しても、パーソナルコンピュータ５０で、ＲＧＢ空間で定義されたデータを発生させてカラーチャートを出力することにより、同様にしてそのプリンタに適合したプリンタプロファイルを作成することができる。
【００５８】
ただしここでは、ＣＭＹＫの網％データに基づいて画像を出力するプリンタ６０を使用するものとして説明する。
【００５９】
図６は、印刷プロファイルとプリンタプロファイルを結合させた結合プロファイルを示す図である。
【００６０】
印刷用のＣＭＹＫの網％データを印刷プロファイルＴによりＬ*ａ*ｂ*の測色データに変換し、次いでそのＬ*ａ*ｂ*の測色データを逆変換プリンタプロファイルＰ-1により再び、ただし今度はプリンタ用の、ＣＭＹＫの網％データに変換する。このようにして生成したプリンタ用のＣＭＹＫの網％データに基づいて、プリンタ６０により、印刷と同じ色のプルーフ画像を出力することができる。この印刷プロファイルＴと逆変換プリンタプロファイルＰ-1との結合からなる結合プロファイルは、印刷用のＣＭＹＫ色空間からプリンタ用のＣＭＹＫの色空間に変換する色変換定義である。
【００６１】
図１に示す印刷およびプルーフ画像作成システムを構成するパーソナルコンピュータ８０でこのような色変換定義を作成し、この作成した色変換定義を図１に示す印刷およびプルーフ画像作成システムを構成するパーソナルコンピュータ５０にインストールして、ワークステーション２０から入力されたＰＤＬで記述された画像データをＣＭＹＫの画像データに変換した後、そのＣＭＹＫの画像データを、その色変換定義を用いてプリンタ用のＣＭＹＫの画像データに変換し、プリンタ６０により、そのプリンタ用のＣＭＹＫの画像データに基づく画像をプリント出力することにより、印刷の画像に対するプルーフ画像が作成される。
【００６２】
尚、図１に示すパーソナルコンピュータ８０で結合プロファイルまで作成する必要は必ずしもなく、パーソナルコンピュータ８０では印刷プロファイルあるいはプリンタプロファイルを作成し、その作成された印刷プロファイルあるいはプリンタプロファイルをパーソナルコンピュータ５０に入力し、パーソナルコンピュータ５０で結合プロファイルを作成してもよい。
【００６３】
次に、パーソナルコンピュータ８０による表示態様について説明する。
【００６４】
図７は、本発明の色再現特性表示プログラム記憶媒体の一実施形態を示す図である。ここに示す色再現特性表示プログラム記憶媒体７００は、図３に示す構成における、色再現特性表示プログラム７１０を記憶した状態にある、ＣＤ−ＲＯＭ１１０、フロッピィディスク１００、ハードディスク装置８１３等を代表的に示したものである。
【００６５】
この図７に示す色再現特性表示プログラム記憶媒体７００に記憶された色再現特性表示プログラム７１０は、画像表示部７１１、パッチ指定部７１２、および距離範囲指定部７１３から構成されている。これらの各プログラム部品の作用については後述する。
【００６６】
図８は、図１，図２に示すパーソナルコンピュータ８０内に構成された本発明の色再現特性表示装置の一実施形態を含むプロファイル作成・データ表示装置の機能ブロック図である。
【００６７】
この図８に示すプロファイル作成・データ表示装置８００は、測色データ入力部８１４、プロファイル作成部８１５、画像表示部８１１、パッチ指定部８１２、および距離範囲指定部８１３から構成されている。ここで、図８のプロファイル作成・データ表示装置８００の各構成要素のうち、画像表示部８１１、パッチ指定部８１２、および距離範囲指定部８１３は、図１，図２に示すパーソナルコンピュータ８０と図７に示す色再現特性表示プログラム７１０との複合により構成されたものであり、図８に示すプロファイル作成・データ表示装置８００の画像表示部８１１、パッチ指定部８１２、および距離範囲指定部８１３は、図７に示す色再現特性表示プログラム７１０の、それぞれ、画像表示部７１２、パッチ指定部７１２、および距離範囲指定部７１３に相当する。ただし、ここでは同一の名称が用いられていても、図８に示す各構成要素はハードウェアとソフトウェアとの複合を指しており、図７に示す色再現特性表示プログラム７１０の各構成要素は、そのうちのアプリケーションソフトウェアの部分のみを指している。
【００６８】
以下、図８に示すプロファイル作成・データ表示装置８００の各構成要素を説明することで、図７の色再現特性表示プログラム７１０の各構成要素についても説明する。
【００６９】
図８のプロファイル作成・データ表示装置８００の測色データ入力部８１４は、図１，図２に示す分光測色計７０で得られた測色データを受け取って、次のプロファイル作成部８１５に渡す機能を有するものであり、ハードウェア上は、主に、図３に示すパーソナルコンピュータ８０のＩ／Ｏインタフェース８７６がこれに相当する。
【００７０】
またプロファイル作成部８１５は、図４，図５を参照して説明した印刷プロファイルやプリンタプロファイルを作成する機能を有するものであり、パーソナルコンピュータ８０に不図示のプロファイル作成プログラムがインストールされることにより実現されている。ハードウェア上はそのプログラムが動作するＣＰＵ８１１等がこれに相当する。
【００７１】
また、画像表示部８１１は、基本的には、それぞれがＣＭＹＫ色空間上の各座標（各ＣＭＹＫ値）に対応づけられた複数のパッチが配列されたパッチ配列画像、およびそのパッチ配列画像を構成する複数のパッチそれぞれに関する詳細データを表示するものである。ここに表示されるパッチ配列画像は、図１に示すシステム全体で使用されるカラーチャート、具体的には、全て同一フォーマットのカラーチャートである、印刷プロファイル作成や評価のために印刷機４０で印刷されるカラーチャートや、プリンタプロファイルの作成や評価のためにプリンタ６０でプリント出力されるカラーチャートや、カラースキャナ１０のプロファイルの作成や評価のためにそのカラースキャナ１０で読み取られるカラーチャートを模擬したものであって、それらのカラーチャートと比べ、パッチの配列順序や配列位置等が同一に構成されている。そこで、以下では、この画像表示部８１１により表示されるパッチ配列画像もカラーチャートと称し、そのカラーチャートに配列されたパッチをカラーパッチと称する。その表示されたカラーチャートを構成する複数のカラーパッチは、それぞれ、そのカラーパッチに属するＣＭＹＫ値に対応した色で表示される。その画像表示部８１１により、そのカラーチャートとともに、そのカラーチャートを構成する各カラーパッチに関する詳細データも表示されるが、その詳細データについては後述する。この画像表示部８１１は、ハードウェア上は、主として図２，図３に示すパーソナルコンピュータ８０の画像表示装置８２がこれに相当する。この画像表示部８１１における具体的な表示態様については後述する。
【００７２】
パッチ指定部８１２は、画像表示部８１１により表示されたカラーチャートを構成する複数のカラーパッチの中から所望のカラーパッチを操作に応じて指定するものであり、ハードウェア上は、主として、図２，図３に示すパーソナルコンピュータ８０のマウス８４がこれに相当する。
【００７３】
このパッチ指定部８１２により、カラーチャート上の任意のカラーパッチ画像が指定されると、画像表示部８１１は、そのカラーチャートとともに、その指定されたカラーパッチに関するＣＭＹＫ値と、そのＣＭＹＫ値を、プロファイル作成部８１５で作成された印刷プロファイルを参照して変換したときのＬ*ａ*ｂ*値と、その同じＣＭＹＫ値を、プロファイル作成部８１５で作成されたプリンタプロファイルを参照して変換したときのＬ*ａ*ｂ*値と、さらにそれら２つのＬ*ａ*ｂ*値どうしの間の差異（色差）を表示する。
【００７４】
また、距離範囲指定部８１３は、Ｌ*ａ*ｂ*空間上の距離範囲、すなわち色差の範囲を操作に応じて指定するものである。
【００７５】
この距離範囲指定部８１３により距離範囲（色差の範囲）が指定されると、画像表示部８１１は、上記のカラーパッチとともに、カラーパッチを構成する複数のカラーパッチそれぞれについて、そのカラーパッチに属するＣＭＹＫ値を印刷プロファイルとプリンタプロファイルの双方で変換したときの２つのＬ*ａ*ｂ*値どうしの距離（色差）が指定された距離範囲内（指定された色差の範囲内）にあるか否かを表示する。
【００７６】
図９は、画像表示部８１２に画像表示装置８２の表示画面８２ａ（図２参照）上に表示される画像の例を示す図である。
【００７７】
この画像は、全体として、カラーチャート表示部９１０と、頻度グラフ表示部９２０と、詳細データ表示部９３０とで構成されている。
【００７８】
カラーチャート表示部９１０は、図１に示すシステム全体で使用されるカラーチャートをイメージした画像（ここではこの画像もカラーチャートと称する）を表示する部分であり、そのカラーチャートを構成する複数のカラーパッチのうちの何れかのカラーパッチにマウスカーソル９１１を合わせると、そのカラーチャートの右隣りに、そのマウスカーソル９１１により指定されたカラーパッチの、ＩＤ、ＣＭＹＫ値、そのＣＭＹＫ値を印刷プロファイルを用いて変換したときのＬ*ａ*ｂ*値（Ｔａｒｇｅｔ）、その同じＣＭＹＫ値をプリンタプロファイルを用いて変換したときのＬ*ａ*ｂ*値（Ｐｒｏｏｆ）、及び、それらＴａｒｇｅｔとＰｒｏｏｆとの間の色差（Ｄｅｌｔａ  Ｅ）が表示される。
【００７９】
この表示により、カラーパッチ１つずつについてＴａｒｇｅｔとＰｒｏｏｆとの差異を詳細に検討することができる。
【００８０】
また、頻度グラフ表示部９２０にはカラーチャートを構成する複数のカラーパッチに関する、上記のＴａｒｇｅｔとＰｒｏｏｆとの間の色差の頻度のグラフが表示される。そのグラフの右にある「ｃｕｍｕｌａｔｉｖｅ」を操作すると、この図９に例を示す頻度グラフに代えて、右肩上がりの累積頻度グラフが表示される。その「ｃｕｍｕｌａｔｉｖｅ」の下にある「Ｍｅａｎ  Ｄｅｌｔａ  Ｅ」の欄には、カラーチャート全体に関するＴａｒｇｅｔとＰｒｏｏｆとの間の色差の平均値が表示され、さらにその下の「Ｃｈａｒｔ  Ｕｎｉｆｏｒｍｉｔｙ」の欄には、ＴａｒｇｅｔとＰｒｏｏｆそれぞれについてのカラーチャートの一様性が表示されている。ここに表示される数値は、そのカラーチャート上の相互に離れた位置に、画像データ（ＣＭＹＫ値）としては同一のカラーパッチを配置しておき、その画像データに基づいてＴａｒｇｅｔ（印刷機）あるいはＰｒｏｏｆ（プリンタ）でカラーチャートを出力して測色した時の、それら同一の画像データに基づくカラーパッチどうしの色差であり、この色差が小さいほど、その出力デバイス（印刷機あるいはプリンタ）の印刷（プリント出力）の画像上の位置による差異が小さい、すなわち一様性がよいことを表わしている。
【００８１】
また頻度グラフの下の２つのスライドバーは、所望の色差範囲を指定するものである。上のスライドバーをマウスでピッキングして動かすとその色差範囲の最小値が指定され、下のスライドバーをマウスでピッキングして動かすとその色差範囲の最大値が指定される。これら２つのスライドバーにより指定された色差範囲は、頻度グラフ上に縦の破線で表示されるとともに、それら２つのスライドバーの下に、数値としても表示される。
【００８２】
ここで、このようにして色差範囲を指定すると、表示されたカラーチャートを構成する複数のカラーパッチのうちの、指定された色差範囲内のカラーパッチに、「×」印が付されて表示される。ここでいう色差とは、そのカラーパッチに属するＣＭＹＫ値を印刷プロファイルとプリンタプロファイルとの双方で変換して得た２つのＬ*ａ*ｂ*値どうしの色差である。
【００８３】
本実施形態では、このようにして色差の範囲を指定することにより、カラーチャート上でその色差の範囲内にあるカラーパッチを確認することができ、Ｔａｒｇｅｔ（印刷機）とＰｒｏｏｆ（プリンタ）との間での色再現特性の一致あるいは相違を容易に把握することができる。
【００８４】
さらに、詳細データ表示部９３０には、カラーチャート表示部９１０に表示されたカラーチャートを構成する複数のカラーパッチそれぞれについての、そのカラーパッチを指定するＩＤ、そのカラーパッチに属するＣＭＹＫ値、そのＣＭＹＫ値を印刷プロファイルを用いて変換したときのＬ*ａ*ｂ*値（Ｌａｂ（Ｔ））、その同じＣＭＹＫ値をプリンタプロファイルを用いて変換したときのＬ*ａ*ｂ*値（Ｌａｂ（Ｐ））、およびそれら２つのＬ*ａ*ｂ*値から求められる色差（Ｄ）が表示されている。
【００８５】
この表示画面上では色差は０．２しかあらわれていないが、この詳細データ一覧全体としては、その色差が小さいものから大きなものの順に配列されている。尚、これとは逆に、色差の大きいものから小さいものの順に配列してもよい。
【００８６】
ここで、カラーチャートを構成するカラーパッチのうちのいずれかのカラーパッチにマウスカーソル９１１を合わせると、前述したようにそのカラーチャートの右にそのカラーパッチのデータが表示されるかが、それとともに、詳細データ表示部９３０に表示された詳細データ一覧のうちの、そのマウスカーソル９１１により指定されたカラーパッチの表示ライン（図９では点線で囲んだライン）が反転表示される。
【００８７】
この詳細データ一覧を調べることにより、Ｔａｒｇｅｔ（印刷機）とＰｒｏｏｆ（プリンタ）との間での色再現特性の一致あるいは相違点を詳細に検討することができる。
【００８８】
図９の右下の「Ｃｌｏｓｅ」は、それをマウス操作することによりこの画面を閉じるためのボタンである。
【００８９】
尚、ここでは、図９を参照して、図１に示す印刷機４０をターゲット（Ｔａｒｇｅｔ）、図１に示すプリンタ６０をプルーフ（Ｐｒｏｏｆ）とし、それらターゲット（Ｔａｒｇｅｔ）とプルーフ（Ｐｒｏｏｆ）との間の色再現特性の一致あるいは相違を表す場合を例に挙げて説明したが、本発明は、印刷機とプリンタとの比較に限られるものではなく、例えば印刷機が複数台設置されているシステムにおけるそれら複数台の印刷機どうしの間の色再現特性の比較や、プリンタが複数台備えられたシステムにおけるそれら複数台のプリンタどうしの間の色再現特性の比較にも適用することができる。
【００９０】
また、図１に示すシステムでは、カラースキャナ１０のプロファイルを作成し、そのカラースキャナ１０のプロファイルを、上記のようにして比較される２種類のプロファイルのうちの一方として用いることもできる。カラースキャナ１０のプロファイルを求めるにあたっては、図１に示す原稿画像１１に代わり、図２に示すカラーチャート９０と同一フォーマットのカラーチャートをカラースキャナ１０で読み取ってＣＭＹＫの画像データを得、このようにして得た画像データを、例えばフロッピィディスク等の可搬型記憶媒体を介して、あるいはカラースキャナ１０をパーソナルコンピュータ８０に直接に接続しておいて読み取りを行なうことなどにより、パーソナルコンピュータ８０に取り込み、さらに、そのカラースキャナ１０に読み取らせたカラーチャートを分光測色計７０で測色しＬ*ａ*ｂ*の測色データを得てその測色データをパーソナルコンピュータ８０に取り込み、そのパーソナルコンピュータ８０内に構成された図８のプロファイル作成装置８００のプロファイル作成部８１６でそれらＣＭＹＫの画像データとＬ*ａ*ｂ*の測色データを対応づけることにより、カラースキャナ１０のプロファイルが作成される。ここでは、そのようにして作成したカラースキャナ１０のプロファイルと、印刷機４０のプロファイルあるいはプリンタ６０のプロファイルとを比較するために、上記のようにして表示することもできる。あるいは、プロファイルの作成方法自体は本発明の主題ではなく、図１に図示されていない別の種類の入力デバイスや出力デバイス、例えば電子スチールカメラや画像ディスプレイ装置等のプロファイルを入手し、その入手したプロファイルを比較・評価のための一方もしくは双方として用い、上記のようにして表示することもできる。
【００９１】
このように、本発明では、画像を入力あるいは出力（表示を含む）するデバイスの種類を問わず、どのようなデバイスの色再現特性であっても取り扱うことができる。
【００９２】
また、上記実施形態はＣＭＹＫ色空間とＬ*ａ*ｂ*色空間との間の変換を取り扱うプロファイルの取り扱いに関するものであるが、本発明は、それに限らず、ＲＧＢ色空間とＬ*ａ*ｂ*色空間、あるいは、ＣＭＹＫ色空間あるいはＲＧＢ色空間とＸＹＺ色空間等との間の関係を規定したプロファイルを取り扱う場合にも適用することができる。
【００９３】
【発明の効果】
以上、説明したように、本発明によれば、２つのデバイスの間の色再現特性の一致あるいは相違の程度を、データ上で客観的に検討、評価することができる。
【図面の簡単な説明】
【図１】本発明の一実施形態が適用された印刷およびプルーフ画像作成システムの全体構成図である。
【図２】図１にブロックで示す分光測色計およびパーソナルコンピュータの外観斜視図である。
【図３】そのパーソナルコンピュータのハードウェア構成図である。
【図４】印刷プロファイルの概念図である。
【図５】プリンタプロファイルの概念図である。
【図６】印刷プロファイルとプリンタプロファイルを結合させた結合プロファイルを示す図である。
【図７】本発明の色再現特性表示プログラム記憶媒体の一実施形態を示す図である。
【図８】図１，図２に示すパーソナルコンピュータ内に構成された本発明の色再現特性表示装置の一実施形態を含むプロファイル作成・データ表示装置の機能ブロック図である。
【図９】画像表示装置の表示画面上に表示される画像例を示す図である。
【符号の説明】
１０    カラースキャナ
２０    ワークステーション
３０    フィルムプリンタ
４０    印刷機
５０    パーソナルコンピュータ
６０    プリンタ
７０    分光測色計
８０    パーソナルコンピュータ
７００    色再現特性表示プログラム記憶媒体
７１０    色再現特性表示プログラム
７１１，８１１    画像表示部
７１２，８１２    パッチ指定部
７１３，８１３    距離範囲指定部
８００    プロファイル作成・データ表示装置
８１４    測色データ入力部
８１５    プロファイル作成部
９１０    カラーチャート表示部
９２０    頻度グラフ表示部
９３０    詳細データ表示部
【図１】
0004205847.tif 000002
【図２】
0004205847.tif 000003
【図３】
0004205847.tif 000004
【図４】
0004205847.tif 000005
【図５】
0004205847.tif 000006
【図６】
0004205847.tif 000007
【図７】
0004205847.tif 000008
【図８】
0004205847.tif 000009
【図９】
0004205847.tif 000010